(57)【要約】【課題】電力消費が小さく且つ安価な電池駆動式の機器を提供する。【解決手段】電池駆動式の機器であって、表示部Ｄは表示窓６と第１係止部Ｌ１と第２係止部Ｌ２とを有し、筐体１の外側から表示窓６に見える色又は模様或いはそれらの両方で表される表示部Ｄの表示情報が、可動部材１０が第１係止部Ｌ１によって初期位置で係止された第１状態と、可動部材１０が第１係止部Ｌ１に係止されておらず且つ第２係止部Ｌ２によって中間位置で係止された第２状態と、可動部材１０が第１係止部Ｌ１及び第２係止部Ｌ２の何れからも係止されていないことで中間位置よりも下方の落下位置にある第３状態とに遷移する間で順に変化する。【選択図】図３
2019154193.tif 000002
【特許請求の範囲】
【請求項１】
電力を供給する電池と、
前記電池から供給される電力を消費して動作する動作部と、
前記電池から供給される電力を消費して、表示する情報を変更可能な表示部とを筐体に備える電池駆動式の機器であって、
前記表示部は、
前記筐体に形成された表示窓と、
所定の色又は模様或いはそれらの両方を有する表示面を有して、前記筐体内で前記表示窓に相対する部位を通って移動可能な可動部材と、
前記筐体内の、前記表示窓よりも上方の初期位置で前記可動部材を係止できる第１係止可能状態から、前記可動部材を前記初期位置で係止できない第１係止不可能状態に切り替わることができる第１係止部と、
前記筐体内の前記初期位置よりも下方且つ前記表示窓に相対する中間位置で前記可動部材を係止できる第２係止可能状態から、前記可動部材を前記中間位置で係止できない第２係止不可能状態に切り替わることができる第２係止部とを有し、
前記筐体の外側から前記表示窓に見える色又は模様或いはそれらの両方で表される前記表示部の表示情報が、前記可動部材が前記第１係止部によって前記初期位置で係止された第１状態と、前記可動部材が前記第１係止部に係止されておらず且つ前記第２係止部によって前記中間位置で係止された第２状態と、前記可動部材が前記第１係止部及び前記第２係止部の何れからも係止されていないことで前記中間位置よりも下方の落下位置にある第３状態とに遷移する間で順に変化する電池駆動式の機器。
【請求項２】
前記可動部材は、
未使用状態において前記電池から電力が供給されていない場合には前記第１状態であり、
前記電池から電力が供給されることで前記未使用状態から使用状態になった場合には前記第２状態に遷移し、
前記電池の残容量が所定の下限値に低下した場合には前記第３状態に遷移する請求項１に記載の電池駆動式の機器。
【請求項３】
前記第１係止部は、前記電池から電力の供給を受けることができ、通電により発生するジュール熱で溶断する第１導電体を有し、前記第１係止可能状態は前記第１導電体が溶断していない状態であり、前記第１係止不可能状態は前記第１導電体が溶断した状態であり、
前記第２係止部は、前記電池から電力の供給を受けることができ、通電により発生するジュール熱で溶断する第２導電体を有し、前記第２係止可能状態は前記第２導電体が溶断していない状態であり、前記第２係止不可能状態は前記第２導電体が溶断した状態である請求項１又は２に記載の電池駆動式の機器。
【請求項４】
前記筐体の内部に、使用状態で前記電池の正極及び負極が電気的に接続される一対の接続端子と、
未使用状態では、一部が前記筐体の外部に突出し、別の一部が前記電池の正極及び負極の一方と前記接続端子との間を電気的に絶縁させる状態でそれらの間に介装されている絶縁体とを備え、
前記絶縁体が前記筐体の外部に向けて引き出されることで、前記電池の正極及び負極と一対の前記接続端子とが電気的に接続されて、前記電池から前記動作部及び前記表示部へ電力が供給されるように構成され、
前記第１係止部は、前記絶縁体を有して構成され、前記第１係止可能状態は、前記未使用状態において前記絶縁体の更に別の一部によって前記可動部材を下方から支持できる状態であり、前記第１係止不可能状態は、前記使用状態において前記絶縁体の更に別の一部によって前記可動部材を下方から支持できない状態であり、
前記第２係止部は、前記電池から電力の供給を受けることができ、通電により発生するジュール熱で溶断する第２導電体を有し、前記第２係止可能状態は前記第２導電体が溶断していない状態であり、前記第２係止不可能状態は前記第２導電体が溶断した状態である請求項１又は２に記載の電池駆動式の機器。
【請求項５】
前記筐体の外部に露出している電源スイッチを移動させる電源投入操作が行われるのに応じて、前記電源投入操作が未だ行われていない未使用状態から前記電源投入操作が行われた後の使用状態へと移行するように構成され、
前記第１係止部は、前記筐体の内部に設けられた支持具を有して構成され、前記第１係止可能状態は、前記未使用状態において前記支持具によって前記可動部材を下方から支持できる状態であり、前記第１係止不可能状態は、前記電源投入操作に伴う前記電源スイッチの移動と連動して前記支持具が移動することで前記可動部材が前記支持具に下方から支持されなくなる状態であり、
前記第２係止部は、前記電池から電力の供給を受けることができ、通電により発生するジュール熱で溶断する第２導電体を有し、前記第２係止可能状態は前記第２導電体が溶断していない状態であり、前記第２係止不可能状態は前記第２導電体が溶断した状態である請求項１又は２に記載の電池駆動式の機器。
【請求項６】
前記動作部は、火災検出センサ、及び、ガス漏れ検出センサ、及び、一酸化炭素検出センサの内の少なくとも二以上の検出センサを有して構成される請求項１〜５の何れか一項に記載の電池駆動式の機器。
【発明の詳細な説明】
【技術分野】
【０００１】
本発明は、電力を供給する電池と、前記電池から供給される電力を消費して動作する動作部と、前記電池から供給される電力を消費して、表示する情報を変更可能な表示部とを筐体に備える電池駆動式の機器に関する。
【背景技術】
【０００２】
特許文献１（特開平１０−２８３５８２号公報）には、電池駆動式の警報装置が記載されている。このような電池駆動式の警報装置の利点として、商用交流電源との接続配線が難しいような設置箇所や美観を大切にするような設置箇所に警報装置を設けることが要求された場合に適用可能である点が挙げられる。
【０００３】
電池駆動式の機器は、設置箇所の自由度が高くなるという利点などがあるものの、電池容量に限りがあるため、電力消費を小さくすることが求められる。特に、様々な情報を表示する表示部に用いられることが多いＬＥＤなどのランプは、電池駆動式の機器に搭載するには電力消費が大きいという問題がある。
【０００４】
そのため、特許文献２（実開昭５９−２０２８１号公報）に記載のような磁気反転型表示器が用いられることもある。この磁気反転型表示器は、反転し得るように支持された表示ディスクと、その表示ディスクの反転軸の周りにその表示ディスクと共に反転し得るように設けられた永久磁石と、その永久磁石に対向する位置に磁極を有し、その極性を反転し得る電磁石装置とを有する。そして、電磁石装置のコイルに電流を流して磁極の極性を反転させて、永久磁石及び表示ディスクを反転軸周りで反転させることで、表示が変更される。このように、磁気反転型表示器は、反転動作時以外は電力を消費しないという利点がある。
【先行技術文献】
【特許文献】
【０００５】
【特許文献１】特開平１０−２８３５８２号公報
【特許文献２】実開昭５９−２０２８１号公報
【発明の概要】
【発明が解決しようとする課題】
【０００６】
しかしながら、特許文献２に記載の磁気反転型表示器は、永久磁石を使用することから価格が高いことが課題としてあった。
【０００７】
本発明は、上記の課題に鑑みてなされたものであり、その目的は、電力消費が小さく且つ安価な電池駆動式の機器を提供する点にある。
【課題を解決するための手段】
【０００８】
上記目的を達成するための本発明に係る電池駆動式の機器の特徴構成は、電力を供給する電池と、
前記電池から供給される電力を消費して動作する動作部と、
前記電池から供給される電力を消費して、表示する情報を変更可能な表示部とを筐体に備える電池駆動式の機器であって、
前記表示部は、
前記筐体に形成された表示窓と、
所定の色又は模様或いはそれらの両方を有する表示面を有して、前記筐体内で前記表示窓に相対する部位を通って移動可能な可動部材と、
前記筐体内の、前記表示窓よりも上方の初期位置で前記可動部材を係止できる第１係止可能状態から、前記可動部材を前記初期位置で係止できない第１係止不可能状態に切り替わることができる第１係止部と、
前記筐体内の前記初期位置よりも下方且つ前記表示窓に相対する中間位置で前記可動部材を係止できる第２係止可能状態から、前記可動部材を前記中間位置で係止できない第２係止不可能状態に切り替わることができる第２係止部とを有し、
前記筐体の外側から前記表示窓に見える色又は模様或いはそれらの両方で表される前記表示部の表示情報が、前記可動部材が前記第１係止部によって前記初期位置で係止された第１状態と、前記可動部材が前記第１係止部に係止されておらず且つ前記第２係止部によって前記中間位置で係止された第２状態と、前記可動部材が前記第１係止部及び前記第２係止部の何れからも係止されていないことで前記中間位置よりも下方の落下位置にある第３状態とに遷移する間で順に変化する点にある。
【０００９】
上記特徴構成によれば、筐体の外部からは、表示窓を通して筐体の内部が見える。また、筐体の内部の表示窓に相対する中間位置に可動部材が位置している場合には、表示窓には可動部材の表示面が見える。よって、筐体の外側から表示窓に見える色又は模様或いはそれらの両方で表される表示部の表示情報は、可動部材が表示窓よりも上方の初期位置にあることで表示窓を通して筐体の内部が見える状態（第１状態）から、可動部材が表示窓に相対する中間位置にあることで可動部材の表示面が見える状態（第２状態）、及び、可動部材が表示窓よりも下方の落下位置にあることで表示窓を通して筐体の内部が見える状態（第３状態）へと順に変化する。また、表示部の表示情報に変化をもたらす可動部材の初期位置から中間位置及び落下位置への落下移動は重力によって行われるので、その移動のために大きな電力が消費されることもない。
従って、電力消費が小さく且つ安価な電池駆動式の機器を提供できる。
【００１０】
本発明に係る電池駆動式の機器の別の特徴構成は、前記可動部材は、
未使用状態において前記電池から電力が供給されていない場合には前記第１状態であり、
前記電池から電力が供給されることで前記未使用状態から使用状態になった場合には前記第２状態に遷移し、
前記電池の残容量が所定の下限値に低下した場合には前記第３状態に遷移する点にある。
【００１１】
上記特徴構成によれば、未使用状態において電池から電力が供給されていない場合（第１状態）には、表示窓からは可動部材は見えずに筐体の内部が見える。また、電池から電力が供給されることで未使用状態から使用状態になった場合（第２状態）には、表示窓からは可動部材の表示面が見える。また更に、電池の残容量が所定の下限値に低下した場合（第３状態）には、表示窓からは可動部材は見えずに筐体の内部が見える。つまり、電池から電力が供給されることで使用状態になった場合（第２状態）に可動部材の表示面が筐体の外部から見えることで、可動部材の表示面に付けられた色又は模様或いはそれらの両方を、機器が動作中であることを示す情報として使用者に認識させることができる。
加えて、機器が未使用状態の場合及び電池の残容量が所定の下限値に低下した場合での表示部の表示情報は、表示窓を通して筐体の内部が見える状態で互いに同じになり、それらの場合での表示部の表示情報は、機器が使用状態である場合での表示部の表示情報（可動部材の表示面が見える状態）とは異なる。よって、電池の残容量が所定の下限値に低下した場合には、機器の動作が正常ではないことを使用者に認識させることができる。
【００１２】
本発明に係る電池駆動式の機器の更に別の特徴構成は、前記第１係止部は、前記電池から電力の供給を受けることができ、通電により発生するジュール熱で溶断する第１導電体を有し、前記第１係止可能状態は前記第１導電体が溶断していない状態であり、前記第１係止不可能状態は前記第１導電体が溶断した状態であり、
前記第２係止部は、前記電池から電力の供給を受けることができ、通電により発生するジュール熱で溶断する第２導電体を有し、前記第２係止可能状態は前記第２導電体が溶断していない状態であり、前記第２係止不可能状態は前記第２導電体が溶断した状態である点にある。
【００１３】
上記特徴構成によれば、第１係止部は、第１係止可能状態から第１係止不可能状態に遷移するときにだけ電力を消費し、それ以外は電力を消費することなく第１係止可能状態及び第１係止不可能状態を維持できる。同様に、第２係止部は、第２係止可能状態から第２係止不可能状態に遷移するときにだけ電力を消費し、それ以外は電力を消費することなく第２係止可能状態及び第２係止不可能状態を維持できる。
加えて、第１係止部は、溶断していない第１導電体で可動部材を係止し、第１導電体が溶断すると可動部材を係止できなくなるという簡単な構造で実現される。同様に、第２係止部は、溶断していない第２導電体で可動部材を係止し、第２導電体が溶断すると可動部材を係止できなくなるという簡単な構造で実現される。
【００１４】
本発明に係る電池駆動式の機器の更に別の特徴構成は、前記筐体の内部に、使用状態で前記電池の正極及び負極が電気的に接続される一対の接続端子と、
未使用状態では、一部が前記筐体の外部に突出し、別の一部が前記電池の正極及び負極の一方と前記接続端子との間を電気的に絶縁させる状態でそれらの間に介装されている絶縁体とを備え、
前記絶縁体が前記筐体の外部に向けて引き出されることで、前記電池の正極及び負極と一対の前記接続端子とが電気的に接続されて、前記電池から前記動作部及び前記表示部へ電力が供給されるように構成され、
前記第１係止部は、前記絶縁体を有して構成され、前記第１係止可能状態は、前記未使用状態において前記絶縁体の更に別の一部によって前記可動部材を下方から支持できる状態であり、前記第１係止不可能状態は、前記使用状態において前記絶縁体の更に別の一部によって前記可動部材を下方から支持できない状態であり、
前記第２係止部は、前記電池から電力の供給を受けることができ、通電により発生するジュール熱で溶断する第２導電体を有し、前記第２係止可能状態は前記第２導電体が溶断していない状態であり、前記第２係止不可能状態は前記第２導電体が溶断した状態である点にある。
【００１５】
上記特徴構成によれば、第１係止部は、使用者により絶縁体が筐体の外部に向けて引き出されることで第１係止可能状態から第１係止不可能状態に変化するように構成されており、電力を消費することなく第１係止可能状態及び第１係止不可能状態を維持できる。また、第２係止部は、第２係止可能状態から第２係止不可能状態に遷移するときにだけ電力を消費し、それ以外は電力を消費することなく第２係止可能状態及び第２係止不可能状態を維持できる。
加えて、第１係止部は、絶縁体で可動部材を係止し、絶縁体が筐体の外部に向けて引き出されると可動部材を係止できなくなるという簡単な構造で実現される。また、第２係止部は、溶断していない第２導電体で可動部材を係止し、第２導電体が溶断すると可動部材を係止できなくなるという簡単な構造で実現される。
【００１６】
本発明に係る電池駆動式の機器の更に別の特徴構成は、前記筐体の外部に露出している電源スイッチを移動させる電源投入操作が行われるのに応じて、前記電源投入操作が未だ行われていない未使用状態から前記電源投入操作が行われた後の使用状態へと移行するように構成され、
前記第１係止部は、前記筐体の内部に設けられた支持具を有して構成され、前記第１係止可能状態は、前記未使用状態において前記支持具によって前記可動部材を下方から支持できる状態であり、前記第１係止不可能状態は、前記電源投入操作に伴う前記電源スイッチの移動と連動して前記支持具が移動することで前記可動部材が前記支持具に下方から支持されなくなる状態であり、
前記第２係止部は、前記電池から電力の供給を受けることができ、通電により発生するジュール熱で溶断する第２導電体を有し、前記第２係止可能状態は前記第２導電体が溶断していない状態であり、前記第２係止不可能状態は前記第２導電体が溶断した状態である点にある。
【００１７】
上記特徴構成によれば、第１係止部は、使用者による電源投入操作に伴う電源スイッチの移動と連動して第１係止可能状態から第１係止不可能状態に変化するように構成されており、電力を消費することなく第１係止可能状態及び第１係止不可能状態を維持できる。また、第２係止部は、第２係止可能状態から第２係止不可能状態に遷移するときにだけ電力を消費し、それ以外は電力を消費することなく第２係止可能状態及び第２係止不可能状態を維持できる。
加えて、第１係止部は、電源スイッチに電源投入操作が行われていない場合には支持具で可動部材を係止し、電源スイッチに電源投入操作が行われるとそれに連動して支持具が移動することで可動部材を係止できなくなるという簡単な構造で実現される。また、第２係止部は、溶断していない第２導電体で可動部材を係止し、第２導電体が溶断すると可動部材を係止できなくなるという簡単な構造で実現される。
【００１８】
本発明に係る電池駆動式の機器の更に別の特徴構成は、前記動作部は、火災検出センサ、及び、ガス漏れ検出センサ、及び、一酸化炭素検出センサの内の少なくとも二以上の検出センサを有して構成される点にある。
【００１９】
上記特徴構成によれば、動作部の検出センサが検出した、火災の発生及びガス漏れの発生及び一酸化炭素濃度の上昇の内の少なくとも複数の異常を、外部に報知できる。
【図面の簡単な説明】
【００２０】
【図１】第１実施形態の電池駆動式の機器の斜視図である。
【図２】第１実施形態の電池駆動式の機器の構成を説明する図である。
【図３】第１実施形態の電池駆動式の機器の表示部の構成例を示す図である。
【図４】第１実施形態の電池駆動式の機器の表示部の構成例を示す図である。
【図５】第１実施形態の電池駆動式の機器の表示部の構成例を示す図である。
【図６】第２実施形態の電池駆動式の機器の表示部の構成例を示す図である。
【図７】第２実施形態の電池駆動式の機器の表示部の構成例を示す図である。
【図８】第２実施形態の電池駆動式の機器の表示部の構成例を示す図である。
【図９】第３実施形態の電池駆動式の機器の表示部の構成例を示す図である。
【図１０】第３実施形態の電池駆動式の機器の表示部の構成例を示す図である。
【図１１】第３実施形態の電池駆動式の機器の表示部の構成例を示す図である。
【図１２】第４実施形態の電池駆動式の機器の斜視図である。
【図１３】第４実施形態の電池駆動式の機器の表示部の構成例を示す図である。
【図１４】第４実施形態の電池駆動式の機器の表示部の構成例を示す図である。
【図１５】第４実施形態の電池駆動式の機器の表示部の構成例を示す図である。
【発明を実施するための形態】
【００２１】
＜第１実施形態＞
以下に図面を参照して本発明の第１実施形態に係る電池駆動式の機器について説明する。
図１は、第１実施形態の電池駆動式の機器の斜視図である。図２は、電池駆動式の機器の構成を説明する図である。尚、本実施形態では、警報装置Ａを電池駆動式の機器の一例として示す。図示するように、電池駆動式の警報装置Ａは、電力を供給する電池Ｂと、電池Ｂから供給される電力を消費して動作する動作部Ｃと、電池Ｂから供給される電力を消費して、表示する情報を変更可能な表示部Ｄとを筐体１に備える。動作部Ｃは、制御部３及び検出センサ４及び音声出力部５を有している。本実施形態では、筐体１の形状は、筐体１の前面１ａから見て矩形である。
【００２２】
検出センサ４は、例えば、ガス検出センサ、及び、ＣＯ（一酸化炭素）検出センサなどのセンサを有して構成される。検出センサ４の検出結果は制御部３に伝達される。
【００２３】
ガス検出センサは、例えば都市ガスを検出対象とする場合であれば、都市ガスの主成分であるメタンガス（ＣＨ４）の濃度を検知するためのメタンガス検出センサを用いて構成される。尚、他のガスを検出対象とする場合には、そのガスを検出可能なセンサを用いればよい。そして、制御部３が、ガス検出センサから伝達される検出結果に基づいて、ガス漏れが発生しているか否か（即ち、検出対象とするガス濃度が所定レベル以上であるか否か）を判定する。
【００２４】
ＣＯ検出センサは、一酸化炭素ガス（ＣＯ）の濃度を検知するためのガスセンサを用いて構成される。そして、制御部３が、ＣＯ検出センサから伝達される検出結果に基づいて、一酸化炭素の濃度が所定レベル以上になっているか否かを判定する。
【００２５】
筐体１の内部には音声出力部５も設けられる。音声出力部５は、音声を出力できるスピーカなどを用いて実現される。制御部３の制御によって音声出力部５から出力された音声は、筐体１の前面１ａに設けられた音孔９を通して筐体１の外部に放出される。
【００２６】
筐体１の前面１ａに設けられる表示部Ｄとして、表示窓６、ＣＯ用ランプ７、ガス用ランプ８がある。また、筐体１には、筐体１の外部と内部との間でのガスの流通を許容して、筐体１の外部に存在するＣＯやメタンガスなどが筐体１の内部のガス検出センサ（検出センサ４）に到達できるようにする通気孔（図示せず）が設けられている。筐体１の前面１ａにおいて、ＣＯ用ランプ７の上には「ＣＯ」という文字が記載され、ガス用ランプ８の上には「ガス」という文字が記載されている。その結果、使用者はどのランプが何の情報を表しているのかを知ることができる。各ランプはＬＥＤなどを用いて実現され、制御部３による制御に従って動作する。
【００２７】
例えば、制御部３は、ＣＯ検出センサ（検出センサ４）の検出結果に基づいて、所定値以上の濃度のＣＯが検出されたと判定するとＣＯ用ランプ７を点灯又は点滅させるといった警報表示を行わせ、所定値未満の濃度のＣＯしか検出されていなければＣＯ用ランプ７を消灯させる。更に、制御部３は、ＣＯ濃度の異常を知らせるための音声を音声出力部５から出力させてもよい。
【００２８】
また、制御部３は、ガス検出センサ（検出センサ４）の検出結果に基づいて、所定値以上の濃度のメタンが検出されたと判定するとガス用ランプ８を点灯又は点滅させるといった警報表示を行わせ、所定値未満の濃度のメタンしか検出されていなければガス用ランプ８を消灯させる。更に、制御部３は、ガス（メタン）濃度の異常を知らせるための音声を音声出力部５から出力させてもよい。
【００２９】
筐体１の天面１ｃにはネジ孔を有する引掛部２が設けられている。特に、引掛部２は、天面１ｃと背面との境界近傍に設けられている。従って、通常であれば、本実施形態の警報装置Ａは、壁面に設けられているネジなどの突起に引掛部２のネジ孔が引掛けられた状態、即ち、筐体１の背面が設置場所となる壁面に相対した状態で設置される。
【００３０】
警報装置Ａが備える制御部３及び検出センサ４及び音声出力部５及び表示部Ｄで消費される電力は全て電池Ｂから供給される。但し、電池Ｂから制御部３及び検出センサ４及び音声出力部５及び表示部Ｄへの電力供給は、使用者が起動指令受付部ＳＷによって警報装置Ａの起動指令を行った後から開始され、使用者が起動指令受付部ＳＷによって警報装置Ａの起動指令を行っていない間は電力供給が行われない。本実施形態では、この起動指令受付部ＳＷは、筐体１の側面１ｂで外部に露出している電源スイッチ１８である。そして、警報装置Ａは、電源スイッチ１８を移動させる電源投入操作が行われるのに応じて、電源投入操作が未だ行われていない未使用状態から電源投入操作が行われた後の使用状態へと移行するように構成される。
【００３１】
表示窓６は、筐体１の前面１ａに形成された開口である。よって、筐体１の外部からは、表示窓６を通して筐体１の内部が見える。可動部材１０は、所定の色又は模様或いはそれらの両方を有する表示面を有して、筐体１内でその表示窓６に相対する部位を通って移動可能に構成されている。例えば、筐体１の内部の表示窓６の部分に可動部材１０が位置していると、表示窓６には可動部材１０の表示面に付された所定の色又は模様或いはそれらの両方が見える。
【００３２】
第１係止部Ｌ１は、筐体１内の、表示窓６よりも上方の初期位置で可動部材１０を係止できる第１係止可能状態から、可動部材１０を初期位置で係止できない第１係止不可能状態に切り替わることができるように構成されている。第２係止部Ｌ２は、筐体１内の初期位置よりも下方且つ表示窓６に相対する中間位置で可動部材１０を係止できる第２係止可能状態から、可動部材１０を中間位置で係止できない第２係止不可能状態に切り替わることができるように構成されている。
【００３３】
図３〜図５は、第１実施形態の電池駆動式の警報装置Ａの表示部Ｄの構成例を示す図である。図３の左図及び図４の左図及び図５の左図は筐体１の外側から見た図であり、図３の右図及び図４の右図及び図５の右図は筐体１の内側から見た図である。
図示するように、第１係止部Ｌ１は、電池Ｂから電力の供給を受けることができ、通電により発生するジュール熱で溶断する第１導電体１１ｃを有する。第１導電体１１ｃは、端子１１ａと端子１１ｂとの間に接続されており、制御部３は、これら端子１１ａ及び端子１１ｂの間に流す電流を制御できる。第２係止部Ｌ２は、電池Ｂから電力の供給を受けることができ、通電により発生するジュール熱で溶断する第２導電体１２ｃを有する。第２導電体１２ｃは、端子１２ａと端子１２ｂとの間に接続されており、制御部３は、これら端子１２ａ及び端子１２ｂの間に流す電流を制御できる。第１導電体１１ｃ及び第２導電体１２ｃは、例えば電力ヒューズと同様の材料を用いて構成される。
【００３４】
可動部材１０の表面（表示面）、即ち、筐体１の外側を向いた面には、所定の色又は模様或いはそれらの両方が付されている。可動部材１０の裏面、即ち、筐体１の内側に向いた面の上端部には、突起状の被係止部１０ａが設けられている。
【００３５】
第１係止部Ｌ１の第１導電体１１ｃは、溶断していない第１導電体１１ｃで可動部材１０の被係止部１０ａを係止した状態にあるとき、可動部材１０が初期位置に位置するような長さに設計されている。この初期位置は表示窓６よりも上方にあり、筐体１の外側から表示窓６を見たとき、初期位置にある可動部材１０は表示窓６には現れていない。その結果、可動部材１０が初期位置にあるとき、表示窓６からは筐体１の内部に付された色が見える。
【００３６】
第２係止部Ｌ２の第２導電体１２ｃは、溶断していない第２導電体１２ｃで可動部材１０の被係止部１０ａを係止した状態にあるとき、可動部材１０が中間位置に位置するような長さに設計されている。この中間位置は表示窓６と同等の高さにあり、筐体１の外側から表示窓６を見たとき、中間位置にある可動部材１０は表示窓６に現れる。その結果、可動部材１０が中間位置にあるとき、表示窓６からは可動部材１０の表面（表示面）、即ち、筐体１の外側を向いた面に付された所定の色又は模様或いはそれらの両方が現れる。
【００３７】
〔第１状態〕
図３は、第１状態にあるときの可動部材１０を示している。
第１係止部Ｌ１の第１係止可能状態は、第１導電体１１ｃが溶断していないことで、筐体１内の初期位置で可動部材１０を係止できる状態である。つまり、溶断していない第１導電体１１ｃによって可動部材１０が係止されているとき、可動部材１０は筐体１内の初期位置にある。そして、可動部材１０が第１係止可能状態にある第１係止部Ｌ１によって初期位置で係止された状態のことを、第１状態とする。
【００３８】
制御部３は、未使用状態において電池Ｂから電力が供給されていない場合には動作できない。そのため、可動部材１０は第１係止可能状態にある第１係止部Ｌ１によって初期位置で係止されている（第１状態）。
【００３９】
第１状態では、可動部材１０は表示窓６の部分よりも高い位置にあるため、筐体１の外側から可動部材１０を見ることはできない。従って、第１状態では、筐体１の外側から表示窓６に見える色又は模様或いはそれらの両方で表される表示部Ｄの表示情報は、筐体１の内部の色又は模様或いはそれらの両方によって定まる。本実施形態では、筐体１の内部が黒色であるので、第１状態では筐体１の外側から表示窓６に見える表示部Ｄの表示情報は「黒色」である。
【００４０】
〔第２状態〕
図４は、第２状態にあるときの可動部材１０を示している。
第１係止部Ｌ１の第１係止不可能状態は、第１導電体１１ｃが溶断していることで、可動部材１０を係止できない状態である。つまり、第１係止部Ｌ１の第１導電体１１ｃによって可動部材１０を係止することはできないため、可動部材１０は第１係止部Ｌ１よりも下方の第２係止部Ｌ２の方へと落下する。また、第２係止部Ｌ２の第２係止可能状態は、第２導電体１２ｃが溶断していないことで、筐体１内の初期位置よりも下方の所定の中間位置で可動部材１０を係止できる状態である。つまり、溶断している第１係止部Ｌ１の第１導電体１１ｃによって可動部材１０が係止されておらず且つ溶断していない第２係止部Ｌ２の第２導電体１２ｃによって可動部材１０が係止されているとき、可動部材１０は中間位置にある。そして、可動部材１０が第１係止部Ｌ１に係止されておらず且つ第２係止部Ｌ２によって中間位置で係止された状態のことを、第２状態とする。
【００４１】
制御部３は、電池Ｂから電力が供給されることで未使用状態から使用状態になった場合には、端子１１ａ及び端子１１ｂの間に流す電流を制御し、第１導電体１１ｃを通電によって溶断させる。それにより、初期位置にあった可動部材１０は第１導電体１１ｃにより係止されなくなって落下し、第２係止部Ｌ２によって中間位置で係止される（第２状態）。
【００４２】
第２状態では、可動部材１０は表示窓６の部分と同じ高さにあるため、筐体１の外側から可動部材１０を見ることができる。従って、第２状態では、筐体１の外側から表示窓６に見える色又は模様或いはそれらの両方で表される表示部Ｄの表示情報は、可動部材１０の表示面の色又は模様或いはそれらの両方によって定まる。本実施形態では、可動部材１０の表示面が例えば白色であるので、第２状態では筐体１の外側から表示窓６に見える表示部Ｄの表示情報は「白色」である。
【００４３】
〔第３状態〕
図５は、第３状態にあるときの可動部材１０を示している。
第２係止部Ｌ２の第２係止不可能状態は、第２導電体１２ｃが溶断していることで、可動部材１０を係止できない状態である。つまり、第２係止部Ｌ２の第２導電体１２ｃによって可動部材１０を係止することはできないため、可動部材１０は第２係止部Ｌ２よりも下方へと落下する。つまり、溶断している第１係止部Ｌ１の第１導電体１１ｃによって可動部材１０が係止されておらず且つ溶断している第２係止部Ｌ２の第２導電体１２ｃによって可動部材１０が係止されていないとき、可動部材１０は中間位置よりも下方の落下位置にある。そして、可動部材１０が第１係止部Ｌ１及び第２係止部Ｌ２の何れからも係止されていないことで中間位置よりも下方の落下位置にある状態のことを、第３状態とする。
【００４４】
制御部３は、電池Ｂの残容量が所定の下限値に低下した場合には、端子１２ａ及び端子１２ｂの間に流す電流を制御し、第２導電体１２ｃを通電によって溶断させる。それにより、中間位置にあった可動部材１０は第２導電体１２ｃにより係止されなくなって落下し、中間位置よりも下方の落下位置に移動する（第３状態）。尚、制御部３は、電池Ｂの残容量を例えば電池電圧を指標として認識できる。
【００４５】
第３状態では、可動部材１０は表示窓６の部分よりも低い位置にあるため、筐体１の外側から可動部材１０を見ることはできない。従って、第３状態では、筐体１の外側から表示窓６に見える色又は模様或いはそれらの両方で表される表示部Ｄの表示情報は、筐体１の内部の色又は模様或いはそれらの両方によって定まる。本実施形態では、筐体１の内部が黒色であるので、第３状態では筐体１の外側から表示窓６に見える表示部Ｄの表示情報は「黒色」である。
【００４６】
以上のように、筐体１の外側から表示窓６に見える色又は模様或いはそれらの両方で表される表示部Ｄの表示情報は、可動部材１０が表示窓６よりも上方の初期位置にあることで表示窓６を通して筐体１の内部が見える状態（第１状態）から、可動部材１０が表示窓６に相対する中間位置にあることで可動部材１０の表示面が見える状態（第２状態）、及び、可動部材１０が表示窓６よりも下方の落下位置にあることで表示窓６を通して筐体１の内部が見える状態（第３状態）へと順に変化する。また、表示部Ｄの表示情報に変化をもたらす可動部材１０の初期位置から中間位置及び落下位置への落下移動は重力によって行われるので、その移動のために大きな電力が消費されることもない。
【００４７】
また、第１係止部Ｌ１は、第１係止可能状態から第１係止不可能状態に遷移するときにだけ電力を消費し、それ以外は電力を消費することなく第１係止可能状態及び第１係止不可能状態を維持できる。同様に、第２係止部Ｌ２は、第２係止可能状態から第２係止不可能状態に遷移するときにだけ電力を消費し、それ以外は電力を消費することなく第２係止可能状態及び第２係止不可能状態を維持できる。加えて、第１係止部Ｌ１は、溶断していない第１導電体１１ｃで可動部材１０を係止し、第１導電体１１ｃが溶断すると可動部材１０を係止できなくなるという簡単な構造で実現される。同様に、第２係止部Ｌ２は、溶断していない第２導電体１２ｃで可動部材１０を係止し、第２導電体１２ｃが溶断すると可動部材１０を係止できなくなるという簡単な構造で実現される。
【００４８】
＜第２実施形態＞
第２実施形態の電池駆動式の機器は表示部Ｄの構成が上記実施形態と異なっている。以下に第２実施形態の電池駆動式の機器について説明するが、上記実施形態と同様の構成については説明を省略する。
【００４９】
図６〜図８は、第２実施形態の電池駆動式の警報装置Ａの表示部Ｄの構成例を示す図である。図６の左図及び図７の左図及び図８の左図は筐体１の外側から見た図であり、図６の右図及び図７の右図及び図８の右図は筐体１の内側から見た図である。
図示するように、第１係止部Ｌ１は、筐体１の内部に設けられた支持具１３を有して構成される。支持具１３は、板がＬ字型に折り曲げられたような形状のＬ字型部材１３ａと、そのＬ字型部材１３ａの所定部位を筐体１の内部に連結する支点部材１３ｂとを有する。Ｌ字型部材１３ａは支点部材１３ｂに支持された状態で揺動可能である。図６に示すように、筐体１の外部に露出している電源スイッチ１８を移動させる電源投入操作が行われていない状態では、電源スイッチ１８はＬ字型部材１３ａに接触しているだけであり、このとき、可動部材１０は初期位置でＬ字型部材１３ａに係止されている。そして、図７に示すように、電源スイッチ１８が筐体１の内側へと押し操作されると、即ち、電源投入操作されると、電源スイッチ１８がＬ字型部材１３ａに当たり、支点部材１３ｂを支点としてＬ字型部材１３ａが揺動する。その結果、可動部材１０はＬ字型部材１３ａに係止されないようになる。そして、初期位置から下方に落下する。
第２係止部Ｌ２は、電池Ｂから電力の供給を受けることができ、通電により発生するジュール熱で溶断する第２導電体１２ｃを有する。第２導電体１２ｃは、端子１２ａと端子１２ｂとの間に接続されており、制御部３は、これら端子１２ａ及び端子１２ｂの間に流す電流を制御できる。例えば、第２導電体１２ｃは、例えば電力ヒューズと同様の材料を用いて構成される。
【００５０】
〔第１状態〕
図６は、第１状態にあるときの可動部材１０を示している。
第１係止部Ｌ１の第１係止可能状態は、未使用状態（電源スイッチ１８が筐体１の内側へと押し操作される電源投入操作が行われていない状態）において支持具１３によって可動部材１０を下方から支持できる状態である。つまり、可動部材１０が支持具１３によって下方から支持されているとき、可動部材１０は筐体１内の初期位置にある。そして、可動部材１０が第１係止可能状態にある第１係止部Ｌ１によって初期位置で係止された状態のことを、第１状態とする。
【００５１】
第１状態では、可動部材１０は表示窓６の部分よりも高い位置にあるため、筐体１の外側から可動部材１０を見ることはできない。従って、第１状態では、筐体１の外側から表示窓６に見える色又は模様或いはそれらの両方で表される表示部Ｄの表示情報は、筐体１の内部の色又は模様或いはそれらの両方によって定まる。本実施形態では、筐体１の内部が黒色であるので、第１状態では筐体１の外側から表示窓６に見える表示部Ｄの表示情報は「黒色」である。
【００５２】
〔第２状態〕
図７は、第２状態にあるときの可動部材１０を示している。
第１係止部Ｌ１の第１係止不可能状態は、電源投入操作に伴う電源スイッチ１８の移動と連動して支持具１３が移動することで可動部材１０が支持具１３に下方から支持されなくなる状態である。つまり、第１係止部Ｌ１の支持具１３によって可動部材１０を係止することはできないため、可動部材１０は第１係止部Ｌ１よりも下方の第２係止部Ｌ２の方へと落下する。また、第２係止部Ｌ２の第２係止可能状態は、第２導電体１２ｃが溶断していないことで、筐体１内の初期位置よりも下方の所定の中間位置で可動部材１０を係止できる状態である。つまり、第１係止部Ｌ１の支持具１３によって可動部材１０が係止されておらず且つ溶断していない第２係止部Ｌ２の第２導電体１２ｃによって可動部材１０が係止されているとき、可動部材１０は中間位置にある。そして、可動部材１０が第１係止部Ｌ１に係止されておらず且つ第２係止部Ｌ２によって中間位置で係止された状態のことを、第２状態とする。
【００５３】
第２状態では、可動部材１０は表示窓６の部分と同じ高さにあるため、筐体１の外側から可動部材１０を見ることができる。従って、第２状態では、筐体１の外側から表示窓６に見える色又は模様或いはそれらの両方で表される表示部Ｄの表示情報は、可動部材１０の表示面の色又は模様或いはそれらの両方によって定まる。本実施形態では、可動部材１０の表示面が例えば白色であるので、第２状態では筐体１の外側から表示窓６に見える表示部Ｄの表示情報は「白色」である。
【００５４】
〔第３状態〕
図８は、第３状態にあるときの可動部材１０を示している。
第２係止部Ｌ２の第２係止不可能状態は、第２導電体１２ｃが溶断していることで、可動部材１０を係止できない状態である。つまり、第２係止部Ｌ２の第２導電体１２ｃによって可動部材１０を係止することはできないため、可動部材１０は第２係止部Ｌ２よりも下方へと落下する。つまり、第１係止部Ｌ１の支持具１３によって可動部材１０が係止されておらず且つ溶断している第２係止部Ｌ２の第２導電体１２ｃによって可動部材１０が係止されていないとき、可動部材１０は中間位置よりも下方の落下位置にある。そして、可動部材１０が第１係止部Ｌ１及び第２係止部Ｌ２の何れからも係止されていないことで中間位置よりも下方の落下位置にある状態のことを、第３状態とする。
【００５５】
制御部３は、電池Ｂの残容量が所定の下限値に低下した場合には、端子１２ａ及び端子１２ｂの間に流す電流を制御し、第２導電体１２ｃを通電によって溶断させる。それにより、中間位置にあった可動部材１０は第２導電体１２ｃにより係止されなくなって落下し、中間位置よりも下方の落下位置に移動する（第３状態）。
【００５６】
第３状態では、可動部材１０は表示窓６の部分よりも低い位置にあるため、筐体１の外側から可動部材１０を見ることはできない。従って、第３状態では、筐体１の外側から表示窓６に見える色又は模様或いはそれらの両方で表される表示部Ｄの表示情報は、筐体１の内部の色又は模様或いはそれらの両方によって定まる。本実施形態では、筐体１の内部が黒色であるので、第３状態では筐体１の外側から表示窓６に見える表示部Ｄの表示情報は「黒色」である。
【００５７】
以上のように、第１係止部Ｌ１は、使用者による電源投入操作に伴う電源スイッチ１８の移動と連動して第１係止可能状態から第１係止不可能状態に変化するように構成されており、電力を消費することなく第１係止可能状態及び第１係止不可能状態を維持できる。また、第２係止部Ｌ２は、第２係止可能状態から第２係止不可能状態に遷移するときにだけ電力を消費し、それ以外は電力を消費することなく第２係止可能状態及び第２係止不可能状態を維持できる。加えて、第１係止部Ｌ１は、電源スイッチ１８に電源投入操作が行われていない場合には支持具１３で可動部材１０を係止し、電源スイッチ１８に電源投入操作が行われるとそれに連動して支持具１３が移動することで可動部材１０を係止できなくなるという簡単な構造で実現される。また、第２係止部Ｌ２は、溶断していない第２導電体１２ｃで可動部材１０を係止し、第２導電体１２ｃが溶断すると可動部材１０を係止できなくなるという簡単な構造で実現される。
【００５８】
＜第３実施形態＞
第３実施形態の電池駆動式の機器は表示部Ｄの構成が上記実施形態と異なっている。以下に第３実施形態の電池駆動式の機器について説明するが、上記実施形態と同様の構成については説明を省略する。
【００５９】
図９〜図１１は、第１実施形態の電池駆動式の警報装置Ａの表示部Ｄの構成例を示す図である。図９の左図及び図１０の左図及び図１１の左図は筐体１の外側から見た図であり、図９の右図及び図１０の右図及び図１１の右図は筐体１の内側から見た図である。
【００６０】
図９に示す未使用状態では、可動部材１０は支持具１４によって下方から支持されている。この支持具１４は、バネ１５によって筐体１の内側に向かって押されており、可動部材１０の下側へと入り込んでいる。但し、可動部材１０が下方に押し下げられると、支持具１４はバネ１５の力に逆らって筐体１の外側へと押され、可動部材１０は支持具１４よりも下方へと移動できる。また、本実施形態の電源スイッチ１９は、常に筐体１の外側へ突出しており、下方へと押し操作されると、即ち、電源投入操作されると、電源スイッチ１９が可動部材１０に当たる。そして、可動部材１０が下方へと移動するのに伴って支持具１４を筐体１の外側へと押し出す。その結果、可動部材１０は支持具１４の下方へと移動して、支持具１４に係止されないようになる。それにより、可動部材１０は初期位置から下方に落下する。
第２係止部Ｌ２は、電池Ｂから電力の供給を受けることができ、通電により発生するジュール熱で溶断する第２導電体１２ｃを有する。第２導電体１２ｃは、端子１２ａと端子１２ｂとの間に接続されており、制御部３は、これら端子１２ａ及び端子１２ｂの間に流す電流を制御できる。例えば、第２導電体１２ｃは、例えば電力ヒューズと同様の材料を用いて構成される。
【００６１】
〔第１状態〕
図９は、第１状態にあるときの可動部材１０を示している。
第１係止部Ｌ１の第１係止可能状態は、未使用状態（電源スイッチ１９が下方へと押し操作される電源投入操作が行われていない状態）において支持具１４によって可動部材１０を下方から支持できる状態である。つまり、可動部材１０が支持具１４によって下方から支持されているとき、可動部材１０は筐体１内の初期位置にある。そして、可動部材１０が第１係止可能状態にある第１係止部Ｌ１によって初期位置で係止された状態のことを、第１状態とする。
【００６２】
第１状態では、可動部材１０は表示窓６の部分よりも高い位置にあるため、筐体１の外側から可動部材１０を見ることはできない。従って、第１状態では、筐体１の外側から表示窓６に見える色又は模様或いはそれらの両方で表される表示部Ｄの表示情報は、筐体１の内部の色又は模様或いはそれらの両方によって定まる。本実施形態では、筐体１の内部が黒色であるので、第１状態では筐体１の外側から表示窓６に見える表示部Ｄの表示情報は「黒色」である。
【００６３】
〔第２状態〕
図１０は、第２状態にあるときの可動部材１０を示している。
第１係止部Ｌ１の第１係止不可能状態は、電源投入操作に伴う電源スイッチ１９の下方移動と連動して支持具１４が移動することで可動部材１０が支持具１４に下方から支持されなくなる状態である。つまり、第１係止部Ｌ１の支持具１４によって可動部材１０を係止することはできないため、可動部材１０は第１係止部Ｌ１の支持具１４よりも下方の第２係止部Ｌ２の方へと落下する。また、第２係止部Ｌ２の第２係止可能状態は、第２導電体１２ｃが溶断していないことで、筐体１内の初期位置よりも下方の所定の中間位置で可動部材１０を係止できる状態である。つまり、第１係止部Ｌ１の支持具１４によって可動部材１０が係止されておらず且つ溶断していない第２係止部Ｌ２の第２導電体１２ｃによって可動部材１０が係止されているとき、可動部材１０は中間位置にある。そして、可動部材１０が第１係止部Ｌ１に係止されておらず且つ第２係止部Ｌ２によって中間位置で係止された状態のことを、第２状態とする。
【００６４】
第２状態では、可動部材１０は表示窓６の部分と同じ高さにあるため、筐体１の外側から可動部材１０を見ることができる。従って、第２状態では、筐体１の外側から表示窓６に見える色又は模様或いはそれらの両方で表される表示部Ｄの表示情報は、可動部材１０の表示面の色又は模様或いはそれらの両方によって定まる。本実施形態では、可動部材１０の表示面が例えば白色であるので、第２状態では筐体１の外側から表示窓６に見える表示部Ｄの表示情報は「白色」である。
【００６５】
〔第３状態〕
図１１は、第３状態にあるときの可動部材１０を示している。
第２係止部Ｌ２の第２係止不可能状態は、第２導電体１２ｃが溶断していることで、可動部材１０を係止できない状態である。つまり、第２係止部Ｌ２の第２導電体１２ｃによって可動部材１０を係止することはできないため、可動部材１０は第２係止部Ｌ２よりも下方へと落下する。つまり、第１係止部Ｌ１の支持具１４によって可動部材１０が係止されておらず且つ溶断している第２係止部Ｌ２の第２導電体１２ｃによって可動部材１０が係止されていないとき、可動部材１０は中間位置よりも下方の落下位置にある。そして、可動部材１０が第１係止部Ｌ１及び第２係止部Ｌ２の何れからも係止されていないことで中間位置よりも下方の落下位置にある状態のことを、第３状態とする。
【００６６】
制御部３は、電池Ｂの残容量が所定の下限値に低下した場合には、端子１２ａ及び端子１２ｂの間に流す電流を制御し、第２導電体１２ｃを通電によって溶断させる。それにより、中間位置にあった可動部材１０は第２導電体１２ｃにより係止されなくなって落下し、中間位置よりも下方の落下位置に移動する（第３状態）。
【００６７】
第３状態では、可動部材１０は表示窓６の部分よりも低い位置にあるため、筐体１の外側から可動部材１０を見ることはできない。従って、第３状態では、筐体１の外側から表示窓６に見える色又は模様或いはそれらの両方で表される表示部Ｄの表示情報は、筐体１の内部の色又は模様或いはそれらの両方によって定まる。本実施形態では、筐体１の内部が黒色であるので、第３状態では筐体１の外側から表示窓６に見える表示部Ｄの表示情報は「黒色」である。
【００６８】
以上のように、筐体１の外側から表示窓６に見える色又は模様或いはそれらの両方で表される表示部Ｄの表示情報が、第１状態と、第２状態と、第３状態とに遷移する間で順に変化する。また、可動部材１０が第１状態及び第３状態である場合の表示部Ｄの表示情報は同じである。
【００６９】
＜第４実施形態＞
第４実施形態の電池駆動式の機器は表示部Ｄの構成が上記実施形態と異なっている。以下に第４実施形態の電池駆動式の機器について説明するが、上記実施形態と同様の構成については説明を省略する。
【００７０】
図１２は、第４実施形態の電池駆動式の機器の斜視図である。図１３〜図１５は、第４実施形態の電池駆動式の警報装置Ａの表示部Ｄの構成例を示す図である。図１３の左図及び図１４の左図及び図１５の左図は筐体１の外側から見た図であり、図１３の右図及び図１４の右図及び図１５の右図は筐体１の内側から見た図である。
【００７１】
図示するように、本実施形態では、起動指令受付部ＳＷは、筐体１の外部に露出している絶縁シート（絶縁体）２０である。筐体１の内部に、使用状態で電池Ｂの正極Ｂａ及び負極Ｂｂが電気的に接続される一対の接続端子１６，１７と、未使用状態では、一部が筐体１の外部に突出し、別の一部が電池Ｂの正極Ｂａ及び負極Ｂｂの一方とそれに対応する接続端子１６，１７との間を電気的に絶縁させる状態でそれらの間に介装されている絶縁シート２０とを備える。そして、絶縁シート２０が筐体１の外部に向けて引き出されることで、電池Ｂの正極Ｂａ及び負極Ｂｂと一対の接続端子１６，１７とが電気的に接続されて、電池Ｂから動作部Ｃ及び表示部Ｄへ電力が供給されるように構成されている。図１３に示す例では、未使用状態のとき、絶縁シート２０は電池Ｂの負極Ｂｂと接続端子１７との間に介装されており、電池Ｂからの電力供給は行われない。それに対して、絶縁シート２０が筐体１の外側に向けて引き出されるのに伴って電池Ｂの負極Ｂｂと接続端子１７との間から絶縁シート２０が取り除かれると、電池Ｂの負極Ｂｂと接続端子１７とが導通して、電池Ｂからの電力供給が行われる。つまり、警報装置Ａは、絶縁シート２０を筐体１の外側に向けて引き出す電源投入操作が行われるのに応じて、電源投入操作が未だ行われていない未使用状態から電源投入操作が行われた後の使用状態へと移行するように構成される。
尚、絶縁シート２０が、電池Ｂの正極Ｂａと接続端子１６との間に介装されていてもよい。
【００７２】
図１３に示す未使用状態では、可動部材１０は絶縁シート２０によって下方から支持されている。但し、絶縁シート２０が電源投入操作によって筐体１の外側へと引き出されると、可動部材１０の下方には絶縁シート２０が存在しなくなり、可動部材１０は下方へと移動できる。それにより、可動部材１０は初期位置から下方に落下する。
第２係止部Ｌ２は、電池Ｂから電力の供給を受けることができ、通電により発生するジュール熱で溶断する第２導電体１２ｃを有する。第２導電体１２ｃは、端子１２ａと端子１２ｂとの間に接続されており、制御部３は、これら端子１２ａ及び端子１２ｂの間に流す電流を制御できる。例えば、第２導電体１２ｃは、例えば電力ヒューズと同様の材料を用いて構成される。
【００７３】
〔第１状態〕
図１３は、第１状態にあるときの可動部材１０を示している。
第１係止部Ｌ１の第１係止可能状態は、未使用状態（絶縁シート２０を筐体１の外側へと引き出す電源投入操作が行われていない状態）において絶縁シート２０の更に別の一部によって可動部材１０を下方から支持できる状態である。つまり、可動部材１０が絶縁シート２０によって下方から支持されているとき、可動部材１０は筐体１内の初期位置にある。そして、可動部材１０が第１係止可能状態にある第１係止部Ｌ１によって初期位置で係止された状態のことを、第１状態とする。
【００７４】
第１状態では、可動部材１０は表示窓６の部分よりも高い位置にあるため、筐体１の外側から可動部材１０を見ることはできない。従って、第１状態では、筐体１の外側から表示窓６に見える色又は模様或いはそれらの両方で表される表示部Ｄの表示情報は、筐体１の内部の色又は模様或いはそれらの両方によって定まる。本実施形態では、筐体１の内部が黒色であるので、第１状態では筐体１の外側から表示窓６に見える表示部Ｄの表示情報は「黒色」である。
【００７５】
〔第２状態〕
図１４は、第２状態にあるときの可動部材１０を示している。
第１係止部Ｌ１の第１係止不可能状態は、電源投入操作に伴う絶縁シート２０の移動と連動して、使用状態において絶縁体の更に別の一部によって可動部材１０を下方から支持できない状態である。つまり、第１係止部Ｌ１の絶縁シート２０によって可動部材１０を係止することはできないため、可動部材１０は第１係止部Ｌ１の絶縁シート２０よりも下方の第２係止部Ｌ２の方へと落下する。また、第２係止部Ｌ２の第２係止可能状態は、第２導電体１２ｃが溶断していないことで、筐体１内の初期位置よりも下方の所定の中間位置で可動部材１０を係止できる状態である。つまり、第１係止部Ｌ１の絶縁シート２０によって可動部材１０が係止されておらず且つ溶断していない第２係止部Ｌ２の第２導電体１２ｃによって可動部材１０が係止されているとき、可動部材１０は中間位置にある。そして、可動部材１０が第１係止部Ｌ１に係止されておらず且つ第２係止部Ｌ２によって中間位置で係止された状態のことを、第２状態とする。
【００７６】
第２状態では、可動部材１０は表示窓６の部分と同じ高さにあるため、筐体１の外側から可動部材１０を見ることができる。従って、第２状態では、筐体１の外側から表示窓６に見える色又は模様或いはそれらの両方で表される表示部Ｄの表示情報は、可動部材１０の表示面の色又は模様或いはそれらの両方によって定まる。本実施形態では、可動部材１０の表示面が例えば白色であるので、第２状態では筐体１の外側から表示窓６に見える表示部Ｄの表示情報は「白色」である。
【００７７】
〔第３状態〕
図１５は、第３状態にあるときの可動部材１０を示している。
第２係止部Ｌ２の第２係止不可能状態は、第２導電体１２ｃが溶断していることで、可動部材１０を係止できない状態である。つまり、第２係止部Ｌ２の第２導電体１２ｃによって可動部材１０を係止することはできないため、可動部材１０は第２係止部Ｌ２よりも下方へと落下する。つまり、第１係止部Ｌ１の絶縁シート２０によって可動部材１０が係止されておらず且つ溶断している第２係止部Ｌ２の第２導電体１２ｃによって可動部材１０が係止されていないとき、可動部材１０は中間位置よりも下方の落下位置にある。そして、可動部材１０が第１係止部Ｌ１及び第２係止部Ｌ２の何れからも係止されていないことで中間位置よりも下方の落下位置にある状態のことを、第３状態とする。
【００７８】
制御部３は、電池Ｂの残容量が所定の下限値に低下した場合には、端子１２ａ及び端子１２ｂの間に流す電流を制御し、第２導電体１２ｃを通電によって溶断させる。それにより、中間位置にあった可動部材１０は第２導電体１２ｃにより係止されなくなって落下し、中間位置よりも下方の落下位置に移動する（第３状態）。
【００７９】
第３状態では、可動部材１０は表示窓６の部分よりも低い位置にあるため、筐体１の外側から可動部材１０を見ることはできない。従って、第３状態では、筐体１の外側から表示窓６に見える色又は模様或いはそれらの両方で表される表示部Ｄの表示情報は、筐体１の内部の色又は模様或いはそれらの両方によって定まる。本実施形態では、筐体１の内部が黒色であるので、第３状態では筐体１の外側から表示窓６に見える表示部Ｄの表示情報は「黒色」である。
【００８０】
以上のように、第１係止部Ｌ１は、使用者により絶縁シート２０が筐体１の外部に向けて引き出されることで第１係止可能状態から第１係止不可能状態に変化するように構成されており、電力を消費することなく第１係止可能状態及び第１係止不可能状態を維持できる。また、第２係止部Ｌ２は、第２係止可能状態から第２係止不可能状態に遷移するときにだけ電力を消費し、それ以外は電力を消費することなく第２係止可能状態及び第２係止不可能状態を維持できる。加えて、第１係止部Ｌ１は、絶縁シート２０で可動部材１０を係止し、絶縁シート２０が筐体１の外部に向けて引き出されると可動部材１０を係止できなくなるという簡単な構造で実現される。また、第２係止部Ｌ２は、溶断していない第２導電１２ｃ体で可動部材１０を係止し、第２導電体１２ｃが溶断すると可動部材１０を係止できなくなるという簡単な構造で実現される。
【００８１】
＜別実施形態＞
＜１＞
上記実施形態では、本発明の電池駆動式の機器としての警報装置Ａの構成について具体例を挙げて説明したが、その構成は適宜変更可能である。例えば、可動部材１０、第１導電体１１ｃ、第２導電体１２ｃ、支持具１３，１４、絶縁シート２０等の形状及び大きさ及び設置位置などは上記実施形態で説明した具体例には限定されず、適宜変更可能である。
また、上記実施形態では、検出センサ４としてガス検出センサ及びＣＯ（一酸化炭素）検出センサを例示したが、他の種類のセンサであってもよい。
他にも、上記実施形態の図面では、第１導電体１１ｃ及び第２導電体１２ｃを同等の長さに描いているが、それらの長さは図示したものに限定されない。例えば、端子１２ａ，１２ｂを、端子１１Ａ，１１Ｂと同様の高さに設置すると共に、第２導電体１２ｃを第１導電体１１ｃよりも長くして、より下方まで垂らすように構成してもよい。それにより、第２係止部としての第２導電体１２ｃによって可動部材１０が係止されるときの中間位置は、第１係止部としての第１導電体１１ｃによって可動部材１０が係止されるときの初期位置よりも下方に位置する。
【００８２】
＜２＞
上記実施形態（別実施形態を含む）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００８３】
本発明は、電力消費が小さく且つ安価な電池駆動式の機器に利用できる。
【符号の説明】
【００８４】
１  筐体
４  検出センサ
６  表示窓（表示部）
７  ＣＯ用ランプ（表示部）
８  ガス用ランプ（表示部）
１０  可動部材
１０ａ  被係止部
１１ｃ  第１導電体（第１係止部）
１２ｃ  第２導電体（第２係止部）
１３  支持具（第１係止部）
１３ａ  Ｌ字型部材（第１係止部）
１３ｂ  支点部材（第１係止部）
１４  支持具（第１係止部）
１５  バネ（第１係止部）
１６  接続端子
１７  接続端子
１８  電源スイッチ
１９  電源スイッチ
２０  絶縁シート（絶縁体）
Ａ  警報装置（機器）
Ｂ  電池
Ｃ  動作部
Ｄ  表示部
Ｌ１  第１係止部
Ｌ２  第２係止部
ＳＷ  起動指令受付部
【図１】
2019154193.tif 000003
【図２】
2019154193.tif 000004
【図３】
2019154193.tif 000005
【図４】
2019154193.tif 000006
【図５】
2019154193.tif 000007
【図６】
2019154193.tif 000008
【図７】
2019154193.tif 000009
【図８】
2019154193.tif 000010
【図９】
2019154193.tif 000011
【図１０】
2019154193.tif 000012
【図１１】
2019154193.tif 000013
【図１２】
2019154193.tif 000014
【図１３】
2019154193.tif 000015
【図１４】
2019154193.tif 000016
【図１５】
2019154193.tif 000017